(57)【要約】【課題】携帯端末装置に発着信対象となる複数ユーザの着信画像や着信音等のコンテンツを、煩わしい操作無しでミスが生じないように入れ替えることを可能にする。【解決手段】  携帯端末装置は、通話及びメール送受信のための無線通信を行う無線部１８と、電話番号及びメールアドレスを含むユーザ情報を記憶する記憶部２０と、無線部１８を介して受信した特定ユーザから送信された画像データ又は音楽データを、前記特定ユーザの着信画像又は前記着信音に設定し、前記特定ユーザからの着信時、前記設定された着信画像又は着信音に基づいて着信画像又は着信音の出力制御を行う制御部２１とを有する。【選択図】図２
2013115541.tif 000002
【特許請求の範囲】
【請求項１】
電話番号及びメールアドレスを含むユーザ情報を記憶する記憶部と、
通話及びメール送受信のための無線通信を行う無線部と、
前記無線部を介して受信した特定ユーザから送信された画像データ又は音楽データを、前記特定ユーザの着信画像又は前記着信音に設定し、前記特定ユーザからの着信時、前記設定された着信画像又は着信音に基づいて着信画像又は着信音の出力制御を行う制御部と、
を有することを特徴とする携帯端末装置。
【請求項２】
前記制御部は、前記メールに添付された画像データ又は音楽データを、着信画像又は着信音の候補となる着信候補画像又は着信候補音として前記ユーザ情報に関連付けて記憶し、前記着信候補画像又は前記着信候補音の中から前記着信画像又は着信音を設定する、ことを特徴とする請求項１に記載の携帯端末装置。
【請求項３】
前記制御部は、前記着信画像候補又は着信音候補の中から前記着信画像又は着信音をランダムに設定することを特徴とする請求項２記載の携帯端末装置。
【請求項４】
前記制御部は、前記着信候補画像又は着信候補音の中から着信画像又は着信音を入れ替えるか否かの確認画面を表示するよう制御し、前記確認画面に対する入力に応じて前記着信画像又は前記着信音を設定することを特徴とする請求項２に記載の携帯端末装置。
【請求項５】
前記制御部は、前記特定ユーザから送信されたメールに添付された画像データを表示部の待ち受け画像として設定することを特徴とする請求項１から請求項４のいずれかに記載の携帯端末装置。
【請求項６】
携帯端末装置の制御方法であって、
無線部を介して特定ユーザから送信された画像データ又は音楽データが添付されたメールを受信するステップと、
前記特定ユーザからの着信時、前記特定ユーザから送信されたメールに添付された画像データ又は音楽データを前記特定ユーザの着信画像又は着信音として設定するステップと、
前記特定ユーザからの着信時、前記設定された着信画像又は前記着信音に基づいて出力制御を行うステップと、
を有する携帯端末装置の制御方法。
【請求項７】
無線部を介して特定ユーザから送信されたメールに添付された画像データ又は音楽データを受け付けるステップと、
前記特定ユーザからの着信時、前記特定ユーザから送信されたメールに添付された画像データ又は音楽データを前記特定ユーザの着信画像又は着信音として設定するステップと、
前記特定ユーザから着信時、前記設定された前記着信画像又は前記着信音に基づいて出力制御を行うステップと、
をコンピュータに実行させるためのプログラム。
【発明の詳細な説明】
【技術分野】
【０００１】
本発明は、携帯端末装置、携帯端末装置のコンテンツ変更方法及び携帯端末装置のコンテンツ変更プログラムに関する。
【背景技術】
【０００２】
従来、携帯端末装置のユーザが、所望の特定ユーザに対する着信音及び着信画像や、待受け画像等のコンテンツ（コンテンツ情報ともいう）を入れ替えて変更する場合に手動で変更する必要がある。しかし、手動での変更はユーザによっては煩わしいと感じることがある。そこで、特許文献１のように、特定ユーザに対する発着信時に自動で着信画像を画面表示する携帯端末装置がある。
【０００３】
この携帯端末装置は、電話や電子メールの発着信等により、電話帳に登録されているユーザのうち、当該発着信に対応するユーザの人物画像の表示が指定されると、制御部が、電話帳に登録されているその指定ユーザの人物画像に基づいて、メモリに記憶されている静止画像の中から該当ユーザの人物画像が写っている静止画像を検出して表示部に表示するようになっている。
【先行技術文献】
【特許文献】
【０００４】
【特許文献１】特開２００７−３１２２６２号公報
【発明の概要】
【発明が解決しようとする課題】
【０００５】
しかしながら、特許文献１に開示された技術によれば、携帯端末装置のメモリには、発着信対象となる複数ユーザの人物等の画像を予め携帯所有ユーザが登録し、この登録画像を長期間経過時など必要に応じて新たな画像と入れ替える操作が必要となる。このような入替操作は手動で行うため、煩わしく手間が掛かり、入替時にミスが生じるといった問題が発生する。
【０００６】
本発明は上記した課題を解決するためになされたものであり、携帯端末装置に発着信対象となる複数ユーザの着信画像や着信音等のコンテンツを、煩わしい操作無しでミスが生じないように入れ替えることができる、携帯端末装置、携帯端末装置のコンテンツ変更方法及び携帯端末装置のコンテンツ変更プログラムを提供することを目的とする。
【課題を解決するための手段】
【０００７】
上記した課題を解決するために本発明の携帯端末装置は、電話番号及びメールアドレスを含むユーザ情報を記憶する記憶部と、通話及びメール送受信のための無線通信を行う無線部と、前記無線部を介して受信した特定ユーザから送信された画像データ又は音楽データを、前記特定ユーザの着信画像又は前記着信音に設定し、前記特定ユーザからの着信時、前記設定された着信画像又は着信音に基づいて着信画像又は着信音の出力制御を行う制御部と、を有する。
【０００８】
また、上記発明において、前記制御部は、前記メールに添付された画像データ又は音楽データを、着信画像又は着信音の候補となる着信候補画像又は着信候補音として前記ユーザ情報に関連付けて記憶し、前記着信候補画像又は前記着信候補音の中から前記着信画像又は着信音を設定する。
【０００９】
また、上記発明において、前記制御部は、前記着信画像候補又は着信音候補の中から前記着信画像又は着信音をランダムに設定する。
【００１０】
また、上記発明において、前記制御部は、前記着信候補画像又は着信候補音の中から着信画像又は着信音を入れ替えるか否かの確認画面を表示するよう制御し、前記確認画面に対する入力に応じて前記着信画像又は前記着信音を設定する。
【００１１】
また、上記発明において、前記制御部は、前記特定ユーザから送信されたメールに添付された画像データを表示部の待ち受け画像として設定する。
【００１２】
本発明は、携帯端末装置の制御方法であって、無線部を介して特定ユーザから送信された画像データ又は音楽データが添付されたメールを受信するステップと、前記特定ユーザからの着信時、前記特定ユーザから送信されたメールに添付された画像データ又は音楽データを前記特定ユーザの着信画像又は着信音として設定するステップと、前記特定ユーザからの着信時、前記設定された着信画像又は前記着信音に基づいて出力制御を行うステップとを有する。
【００１３】
本発明は、無線部を介して特定ユーザから送信されたメールに添付された画像データ又は音楽データを受け付けるステップと、前記特定ユーザからの着信時、前記特定ユーザから送信されたメールに添付された画像データ又は音楽データを前記特定ユーザの着信画像又は着信音として設定するステップと、前記特定ユーザから着信時、前記設定された前記着信画像又は前記着信音に基づいて出力制御を行うステップと、をコンピュータに実行させるためのプログラムである。
【発明の効果】
【００１４】
本発明によれば、携帯端末装置に発着信対象となる複数ユーザの着信画像や着信音等のコンテンツを、煩わしい操作無しでミスが生じないように入れ替えることができる、携帯端末装置、携帯端末装置のコンテンツ変更方法及び携帯端末装置のコンテンツ変更プログラムを提供することができる。
【図面の簡単な説明】
【００１５】
【図１】第１実施形態に係る携帯端末装置の外観正面図、図２は、携帯端末装置１０の構成を示すブロック図である。
【図２】第１実施の形態に係る携帯端末装置の構成を示すブロック図である。
【図３】携帯端末装置に記憶された各ユーザに対応付けられる着信候補画像、着信候補音及び待受け画像の関連を示す図である。
【図４】第１実施形態に係る携帯端末装置の第１の動作を説明するためのフローチャートである。
【図５】第１実施形態に係る携帯端末装置の第２の動作を説明するためのフローチャートである。
【図６】第２実施形態に係る携帯端末装置の第１の動作を説明するためのフローチャートである。
【図７】第２実施形態に係る携帯端末装置の第２の動作を説明するためのフローチャートである。
【図８】第３実施形態に係る携帯端末装置の第１の動作を説明するためのフローチャートである。
【図９】第３実施形態に係る携帯端末装置の第２の動作を説明するためのフローチャートである。
【発明を実施するための形態】
【００１６】
以下、添付図面を参照して本発明を実施するための実施の形態（以下、単に本実施形態という）について詳細に説明する。但し、本明細書の全図において同一部分には同一符号を付し、その説明を適時省略する。
【００１７】
図１は、第１実施形態に係る携帯端末装置１０の外観正面図、図２は、携帯端末装置１０の構成を示すブロック図である。第１実施形態に係る携帯端末装置１０は、外部に、文字や画像等を表示するディスプレイ１１と、この下方に０〜９，♯，＊等のキー操作部１２と、マイク１３と、発光部１４と、撮影部１５とを備え、内部に、スピーカ１６と、信号処理部１７と、アンテナ１８ａが接続された無線部１８と、振動部１９と、記憶部２０と、制御部２１と、充電用の電池２２ａが内蔵される電源部２２とを備えて構成されている。
【００１８】
ディスプレイ１１は、カラー表示を行うバックライト方式の液晶ディスプレイであり、液晶パネルと当該液晶パネルに光を照射するためにバックライトを備える。このディスプレイ１１は制御部２１から入力された制御信号に基づき文字、図形、記号、画像などの各種情報を表示する。また、ディスプレイ１１は、液晶ディスプレイ以外に限らず、例えば、有機ＥＬディスプレイや、複数のＬＥＤ(Light Emitting Diode)がマトリックス上に配列されたディスプレイであってもよい。この他、ディスプレイ１１は、図示せぬタッチパネル入力手段を備え、このタッチパネル入力手段におけるユーザの画面操作に応じた入力信号を制御部２１へ出力するようにしてもよい。
【００１９】
キー操作部１２は、ユーザの入力操作に応じた入力信号を制御部２１へ出力する。その入力操作は、例えば、着信や発信時の入力、音量の調整入力、ディスプレイ１１の輝度調整の入力、電源オン／オフの切替入力、ディスプレイ１１の表示画面の切替入力、更には、アラーム報知時刻に所望のスケジュール内容を対応付けたアラーム設定情報の入力等である。
【００２０】
スピーカ１６は、制御部２１の音声出力処理に応じて信号処理部１７から出力されるアナログ信号に基づき外部に音を出力する。制御部２１から信号処理部１７へはデジタル信号入力であるが、このデジタル信号が信号処理部１７でアナログ信号にデジタル／アナログ変換され、アナログ信号としてスピーカ１６へ出力されるようになっている。
【００２１】
マイク１３は、外部からの音声をアナログ信号に変換して信号処理部２１０を介して制御部２１へ出力する。そのアナログ信号は、信号処理部１７でアナログ／デジタル変換され、このデジタル信号が制御部２１へ出力されるようになっている。
【００２２】
発光部１４は、ＬＥＤなどの発光素子により構成されており、制御部２１から出力された制御信号によって外部へ光を照射する。この発光部１４は、電話の着信、メールの受信、アラーム日時到来などを、外部へ光を照射することにより報知する。
【００２３】
撮影部１５は、キー操作部１２からの入力操作に応じて動画や静止画を撮影する。この撮影された動画や静止画は、制御部２１を介して記憶部２０に記憶される。
【００２４】
無線部１８は、アンテナ１８ａの電波の送受信動作に応じて他携帯端末装置や基地局と無線通信を行う。この際、無線部１８は、アンテナ１８ａで受信される所定の高周波信号に対して復調及び復号処理を行いデジタル音声信号へと変換する。また、制御部２１から入力されたデジタル音声信号に符号化及び変調処理を行い高周波信号に変換してアンテナ１８ａから送信する。また、無線部１８は、他の携帯端末装置等とアンテナ１８ａを介してメールの送受信動作を行う。
【００２５】
振動部１９は、図示せぬモータを備えて構成され、制御部２１から出力された制御信号によって機械的振動を発生する。例えば、電話の着信、メールの受信、アラーム日時到来などを機械的振動によって報知する。
【００２６】
記憶部２０は、携帯端末装置１０の各種機能を制御するプログラムや、発着信対象となる複数のユーザの電話番号及びメールアドレス等のユーザ情報、着信音及び着信画像や待受け画像等のコンテンツ情報を記憶する。コンテンツ情報には、該当の特定ユーザであることが検索可能な識別子が対応付けられている。
【００２７】
制御部２１は、ＣＰＵ(Central Processing Unit)及びＤＳＰ(Digital Signal Processor)などで構成され、携帯端末装置１０に備えられた各構成要素を制御することにより携帯端末装置１０を統括的に管理して、各種機能を実行する。例えば、制御部２１は、キー操作部１２の入力操作に基づき、携帯端末装置１０に備えられたメール機能、電話機能、アラーム報知機能などを実行したり、記憶部２０に入力情報を記憶したり、記憶部２０に記憶されたプログラムを実行したりする。
【００２８】
電源部２２は、リチウムイオン電池などの充放電可能な電池によって構成され、携帯端末装置１０に電力を供給する。
【００２９】
制御部２１は、アンテナ１８ａ及び無線部１８を介して特定ユーザから、人物画像等の当該特定ユーザに関わる画像が添付されたメール（画像添付メールともいう）を受信した際に、この受信画像を、記憶部２０に着信候補画像として設定する。
【００３０】
例えば、図３に示すように、記憶部２０にユーザのＡ，Ｂ，Ｃ，Ｄ，Ｅ，Ｆさんの電話番号及びメールアドレスが登録された電話帳２０ａが情報として記憶されているとする。制御部２１は、ユーザＡさんから、当該Ａさんに関わる画像ａ１が添付されたメールを受信した際に、矢印Ｙ１で示すように、その受信された添付画像ａ１を、記憶部２０に着信候補画像２０ｂとして電話帳２０ａのユーザＡさんのユーザ情報に関連付けて記憶する。また、制御部２１は、Ａさんから他の画像ｂ１〜ｈ１を受信した場合も同等に関連付けて記憶する。
【００３１】
そして、制御部２１は、記憶部２０に記憶された着信候補画像の中から特定ユーザの着信画像を設定し、所定のタイミングで現在の特定ユーザの着信画像を着信候補画像の中から別の着信画像に入れ替える制御を行う。また、制御部２１は、設定された着信画像に基づいて着信画像の出力制御を行う。
【００３２】
次に、第１実施形態に係る携帯端末装置１０の動作を、図４のフローチャートを参照して詳細に説明する。
【００３３】
まず、制御部２１は、アンテナ１８ａ及び無線部１８を介して特定ユーザから、当該特定ユーザに関わる画像が添付されたメールが受信されたか否かを判断する（ステップＳ１）。この結果、受信されていなければ処理を終了する。
【００３４】
一方、制御部２１は、特定ユーザから画像が添付されたメールを受信した場合、その受信画像を記憶部２０に着信候補画像として登録する（ステップＳ２）。制御部２１は、この登録後、ステップＳ３で一定時間が経過していると判断すると、現在の特定ユーザの着信画像を、着信候補画像の中から別の着信画像に入れ替える（ステップＳ４）。制御部２１は、複数の着信候補画像の中から強制的又はランダムに別の着信画像に入れ替えてもよく、また、記憶部２０への登録時の時系列順などの所定順序に応じて入れ替えられるようにしてもよい。
【００３５】
第１実施形態によれば、携帯端末装置１０の記憶部２０に予め登録された着信候補画像を入れ替える場合、特定ユーザからの画像添付メールが受信された際に、この受信画像が記憶部２０に着信候補画像として登録され、この登録後、着信画像が着信候補画像と入れ替えられる。従って、従来のように、ユーザが手動で入れ替える操作を不要として自動で行うようにすることが可能なので、入替時の煩わしい手間が無くなり、また、自動で入れ替えるので、手動のような入替ミスが生じることもなくなる。
【００３６】
次に、現在の特定ユーザの着信画像を着信候補画像に入れ替えるか否かの判断を促すポップアップをディスプレイ１１に表示して、ユーザに着信画像の入替許可を促す場合の動作を、図５に示すフローチャートを参照して説明する。図５のステップＳ１〜Ｓ３は上記図４と同様の処理を行う。制御部２１は、ステップＳ３で一定時間が経過していると判断すると、現在の特定ユーザの着信画像を着信候補画像と入れ替えるか否かの判断を促すポップアップ（確認画面）をディスプレイ１１に表示する（ステップＳ１０）。
【００３７】
このポップアップ表示を見たユーザが、着信画像を着信候補画像と入れ替えるか否かを判断する（ステップＳ１１）。この結果、入れ替えると判断された場合、ユーザがキー操作部１２において、「許可」を入力するための予め定められた１つのキーを押下する（ステップＳ１２）。この「許可」のキー押下によって、制御部２１は、現在の特定ユーザの着信画像を着信候補画像の中から別の着信画像に入れ替える（ステップＳ１３）。
【００３８】
この着信画像変更処理ではステップＳ１３の処理後、着信画像の入替処理を終えるようになっているが、ステップＳ１３の入替処理後、破線Ｌ１で示すように上記ステップＳ３に戻って処理を継続するようにしてもよい。
【００３９】
更に、ステップＳ１３において、着信画像を入れ替える場合に、入れ替えに用いられる着信候補画像の真ん中部分を着信候補画像として入れ替えるようにしても良い。更には、ステップＳ１２で「許可」をキー入力した際に、ユーザに、入れ替えに用いられる着信候補画像のどの部分を着信候補画像とするのか編集を促す指示を更に行い、ステップＳ１３でユーザがその指示に従って画像の所望部分を着信候補画像とする編集操作を行うようにしてもよい。
【００４０】
一方、ステップＳ１１において、ユーザが入れ替えを行わないと判断した場合は、ユーザがキー操作部１２から「拒否」を入力するための予め定められた１つのキーを押下する（ステップＳ１４）。この「拒否」のキー入力によって、制御部２１は、今回入れ替えに用いられる着信候補画像を消去する（ステップＳ１５）。この消去は、その着信候補画像が二度と現れないようにしてもよい。
【００４１】
このような許可判断のポップアップ表示後にユーザが許可又は拒否を入力する処理を行う構成によれば、ユーザが簡単な入力操作で着信画像を着信候補画像に入れ替えることができる。また、着信候補画像を自在に編集して着信画像とすることができる。
【００４２】
なお、「許可」又は「拒否」の入力は各々、１乃至複数のキー操作による極力簡単な操作で行えるようになっており、例えば＊や＃等の１つのキーを押下した際に実行されるようになっている。どのキーを押下すれば「許可」又は「拒否となるかは」、「許可」又は「拒否」の判断と同時に画面表示されるようにしてもよい。
【００４３】
次に、本発明の第２実施形態について説明する。第２実施形態は、着信音に本発明を適用した場合の例である。
【００４４】
制御部２１は、アンテナ１８ａ及び無線部１８を介して特定ユーザから、音声や音楽の楽音データが添付されたメールを受信した際に、この受信楽音データを、記憶部２０に着信候補音として設定する。
【００４５】
例えば、図３に示すように、記憶部２０にユーザのＡ，Ｂ，Ｃ，Ｄ，Ｅ，Ｆさんの電話帳２０ａの情報が記憶されている際に、ユーザＡさんから、当該Ａさんに関わる楽音データａ２が添付されたメールを受信した際に、矢印Ｙ２で示すように、その受信された添付楽音データａ２を、記憶部２０に着信候補音２０ｃとして電話帳２０ａのユーザＡさんのユーザ情報に関連付けて記憶する。また、制御部２１は、Ａさんから楽音データｂ２〜ｈ２を受信した場合も同等に関連付けて記憶する。
【００４６】
そして、制御部２１は、記憶部２０に記憶された着信候補音の中から特定ユーザの着信音を設定し、所定のタイミングで現在の特定ユーザの着信音を着信候補音の中から別の着信音に入れ替える制御を行う。
【００４７】
次に、第２実施形態に係る携帯端末装置１０の着信音を変更する際の動作を、図６のフローチャートを参照して詳細に説明する。
【００４８】
まず、制御部２１は、アンテナ１８ａ及び無線部１８を介して特定ユーザから、当該特定ユーザに関わる楽音データが添付されたメールが受信されたか否かを判断する（ステップＳ２１）。この結果、受信されていなければ処理を終了する。
【００４９】
一方、制御部２１は、楽音データが添付されたメールを受信した場合、その受信楽音データを記憶部２０に着信候補音として登録する（ステップＳ２２）。制御部２１は、この登録後、ステップＳ２３で一定時間が経過していると判断すると、現在の特定ユーザの着信音を、着信候補音の中から別の着信音に入れ替える（ステップＳ４）。制御部２１は、複数の着信候補音の中から強制的又はランダムに別の着信音に入れ替えてもよく、また、記憶部２０への登録時の時系列順などの所定順序に応じて入れ替えられるようにしてもよい。
【００５０】
第２実施形態によれば、記憶部２０に予め登録された着信候補音を入れ替える場合、特定ユーザからの画像添付メールが受信された際に、この受信楽音データが記憶部２０に着信候補音として登録され、この登録後、着信音が着信候補音と入れ替えられる。従って、従来のように、ユーザが手動で入れ替える操作を不要として自動で行うようにすることが可能なので、入替時の煩わしい手間が無くなり、また、自動で入れ替えるので、手動のような入替ミスが生じることもなくなる。
【００５１】
次に、現在の特定ユーザの着信音を着信候補音に入れ替えるか否かの判断を促すポップアップをディスプレイ１１に表示して、ユーザに着信音の入替許可を促す動作を、図７に示すフローチャートを参照して説明する。図７のステップＳ２１〜Ｓ２３は上記図６と同様の処理を行う。制御部２１は、ステップＳ２３で一定時間が経過していると判断すると、現在の特定ユーザの着信音を着信候補音と入れ替えるか否かの判断を促すポップアップをディスプレイ１１に表示する（ステップＳ３０）。
【００５２】
このポップアップ表示を見たユーザが、着信音を着信候補音に入れ替えるか否かを判断する（ステップＳ３１）。この結果、入れ替えると判断された場合、ユーザがキー操作部１２において、「許可」を入力するための予め定められた１つのキーを押下する（ステップＳ３２）。この「許可」のキー押下によって、制御部２１は、現在の特定ユーザの着信音を着信候補音の中から別の着信画像に入れ替えられる（ステップＳ３３）。
【００５３】
この着信音変更処理ではステップＳ３３の処理後、着信音の入替処理を終えるようになっているが、ステップＳ３３の入替処理後、破線Ｌ１で示すように上記ステップＳ２３に戻って処理を継続するようにしてもよい。
【００５４】
更に、ステップＳ３３において、着信音を入れ替える場合に、入れ替えに用いられる着信候補音の真ん中部分を着信候補音として入れ替えるようにしても良い。更には、ステップＳ３２で「許可」をキー入力した際に、ユーザに、入れ替えに用いられる着信候補音のどの部分を着信候補音とするのか編集を促す指示を更に行い、ステップＳ３３でユーザがその指示に従って画像の所望部分を着信候補音とする編集操作を行うようにしてもよい。
【００５５】
一方、ステップＳ３１において、ユーザが入れ替えを行わないと判断した場合は、ユーザがキー操作部１２から「拒否」を入力するための予め定められた１つのキーを押下する（ステップＳ３４）。この「拒否」のキー入力によって、制御部２１は、今回入れ替えに用いられる着信候補音を消去する（ステップＳ３５）。この消去は、その着信候補音が二度と現れないようにしてもよい。
【００５６】
このような許可判断のポップアップ表示後にユーザが許可又は拒否を入力する処理を行う構成によれば、ユーザが簡単な入力操作で着信音を着信候補音に入れ替えることができる。また、着信候補音を自在に編集して着信音とすることができる。
【００５７】
次に、本発明の第３実施形態について説明する。
【００５８】
制御部２１は、アンテナ１８ａ及び無線部１８を介して特定ユーザから、人物画像等の当該特定ユーザに関わる画像が添付されたメールを受信した際に、この受信画像を、記憶部２０に待受け候補画像として設定する。
【００５９】
例えば、図３に示すように、ユーザＡさんから受信した各添付画像ａ１〜ｈ１を、矢印Ｙ３で示すように、ディスプレイ１１の待受け画面１１ａに表示される待受け画像ｋの候補、即ち待受け候補画像として登録する。従って、その待受け候補画像ａ１〜ｈ１が、待受け画像ｋとされる。
【００６０】
そして、制御部２１は、その受信画像を待受け候補画像として登録した後、待受け画像を、待受け候補画像と入れ替える入替制御を行う。この入替制御は、受信画像を待受け候補画像として登録した後、予め定められた一定時間経過後に行うようにしてもよい。また、入替制御では、複数の待受け候補画像の中からランダムに入れ替えたり、記憶部２０への登録時の時系列順などの所定順序に応じて入れ替えたりする。
【００６１】
以下、第３実施形態に係る携帯端末装置１０のコンテンツである待受け画像を変更する際の動作を、図８のフローチャートを参照して詳細に説明する。
【００６２】
まず、制御部２１は、アンテナ１８ａ及び無線部１８を介して特定ユーザから、当該特定ユーザに関わる画像が添付されたメールが受信されたか否かを判断する（ステップＳ４１）。この結果、受信されていなければ処理を終了する。
【００６３】
一方、制御部２１は、画像が添付されたメールを受信した場合、その受信画像を、記憶部２０に待受け候補画像として登録する（ステップＳ４２）。制御部２１は、この登録後、ステップＳ３で一定時間が経過していると判断すると、現在の待受け画像を、待受け候補画像の中から別の待受け画像に入れ替えられる（ステップＳ４４）。制御部２１は、複数の待受け候補画像の中から強制的又はランダムに入れ替える。この他、記憶部２０への登録時の時系列順などの所定順序に応じて入れ替えられるようにしてもよい。
【００６４】
第３の実施形態によれば、携帯端末装置１０の記憶部２０に予め登録された待受け候補画像を入れ替える際に、特定ユーザからの画像が添付されたメールが受信された際に、この受信画像が記憶部２０に待受け候補画像として登録され、この登録後、待受け画像が待受け候補画像と入れ替えられる。従って、従来のように、ユーザが手動で入れ替える操作を不要として自動で行うようにすることが可能なので、入替時の煩わしい手間が無くなり、また、自動で入れ替えるので、手動のような入替ミスが生じることもなくなる。
【００６５】
次に、現在の待受け画像を待受け候補画像に入れ替えるか否かの判断を促すポップアップをディスプレイ１１に表示して、ユーザに待受け画像の入替許可を促す動作を、図９に示すフローチャートを参照して説明する。図９のステップＳ４１〜Ｓ４３は上記図８と同様の処理を行う。ステップＳ４３で制御部２１は、一定時間が経過していると判断すると、現在の待受け画像を待受け候補画像と入れ替えるか否かの判断を促すポップアップをディスプレイ１１に表示する（ステップＳ５０）。
【００６６】
このポップアップ表示を見たユーザが、待受け画像を待受け候補画像に入れ替えるか否かを判断する（ステップＳ５１）。この結果、入れ替えると判断された場合、ユーザがキー操作部１２において、「許可」を入力するための予め定められた１つのキーを押下する（ステップＳ５２）。この「許可」のキー押下によって、制御部２１は、現在の待受け画像を待受け候補画像の中から別の待受け画像に入れ替える（ステップＳ５３）。
【００６７】
この待受け画像変更処理ではステップＳ５３の処理後、待受け画像の入替処理を終えるようになっているが、ステップＳ５３の入替処理後、破線Ｌ１で示すように上記ステップＳ４３に戻って処理を継続するようにしてもよい。
【００６８】
更に、ステップＳ５３において、待受け画像を入れ替える場合に、入れ替えに用いられる待受け候補画像の真ん中部分を待受け候補画像として入れ替えるようにしても良い。更には、ステップＳ５２で「許可」をキー入力した際に、ユーザに、入れ替えに用いられる待受け候補画像のどの部分を待受け候補画像とするのか編集を促す指示を更に行い、ステップＳ５３でユーザがその指示に従って画像の所望部分を待受け候補画像とする編集操作を行うようにしてもよい。
【００６９】
一方、ステップＳ５１において、ユーザが入れ替えを行わないと判断した場合は、ユーザがキー操作部１２から「拒否」を入力するための予め定められた１つのキーを押下する（ステップＳ５４）。この「拒否」のキー入力によって、制御部２１は、今回入れ替えに用いられる待受け候補画像を消去する（ステップＳ５５）。この消去は、その待受け候補画像が二度と現れないようにしてもよい。
【００７０】
このような許可判断のポップアップ表示後にユーザが許可又は拒否を入力する処理を行う構成によれば、ユーザが簡単な入力操作で待受け画像を待受け候補画像に入れ替えることができる。また、待受け候補画像を自在に編集して待受け画像とすることができる。
【００７１】
上記説明した第１〜第３実施形態の携帯端末装置１０における制御部２１の特徴制御を、任意に組み合わせた構成の携帯端末装置としてもよい。
【００７２】
携帯端末装置の制御方法は、無線部を介して特定ユーザから送信された画像データ又は音楽データが添付されたメールを受信するステップと、特定ユーザからの着信時、特定ユーザから送信されたメールに添付された画像データ又は音楽データを特定ユーザの着信画像又は着信音として設定するステップと、特定ユーザからの着信時、設定された着信画像又は着信音に基づいて出力制御を行うステップとを実行することにより実現することができる。携帯端末装置の制御方法は、この方法を機能させるためのプログラムでも実現できる。このプログラムは読取可能な記録媒体に格納されている。
【００７３】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００７４】
１０・・携帯端末装置、１１‥ディスプレイ、１２‥キー操作部、１３‥マイク、１４‥発光部、１５‥撮影部、１６‥スピーカ、１７‥信号処理部、１８ａ‥アンテナ、１８‥無線部、１９‥振動部、２０‥記憶部、２１‥制御部、２２ａ‥電池、２２‥電源部。
【図１】
2013115541.tif 000003
【図２】
2013115541.tif 000004
【図３】
2013115541.tif 000005
【図４】
2013115541.tif 000006
【図５】
2013115541.tif 000007
【図６】
2013115541.tif 000008
【図７】
2013115541.tif 000009
【図８】
2013115541.tif 000010
【図９】
2013115541.tif 000011